(57)【要約】【課題】カバーを有するアンテナ装置において、所望の角度範囲内における電波強度の落ち込みを低減できるアンテナ装置を提供する。【解決手段】第１方向Ｄ１側に向けて、第１方向Ｄ１に略直交する第２方向Ｄ２における幅が所定の角度範囲で広がるミリ波帯の電波を発信する送信アンテナ１５１ａを有するアンテナ基板１５１と、アンテナ基板１５１の、第１方向Ｄ１側とは反対方向側に配置される反射基板１４１、１４２であって、第２方向Ｄ２においてアンテナ基板１５１から離れるほど反対方向側に向かう向きに、第１方向Ｄ１に対して傾斜して配置される反射基板１４１と、アンテナ基板１５１および反射基板１４１、１４２を覆うカバー１１０と、を備え、反射基板１４１、１４２は、反射基板１４１、１４２の一方側の第１面で反射される電波と、反射基板１４１、１４２の他方側の第２面で反射される電波とが、互いに相殺する厚みｔ１を有する。【選択図】図６
2018125668.tif 000002
【特許請求の範囲】
【請求項１】
第１方向側に向けて、前記第１方向に略直交する第２方向における幅が所定の角度範囲で広がるミリ波帯の電波を発信する送信アンテナを有するアンテナ基板と、
前記アンテナ基板の、前記第１方向側とは反対方向側に配置される反射基板であって、前記第２方向において前記アンテナ基板から離れるほど前記反対方向側に向かう向きに、前記第１方向に対して傾斜して配置される反射基板と、
前記アンテナ基板および前記反射基板を覆うカバーと、を備え、
前記反射基板は、前記反射基板の一方側の第１面で反射される前記電波と、前記反射基板の他方側の第２面で反射される前記電波とが、互いに相殺する厚みを有する
アンテナ装置。
【請求項２】
前記反射基板は、前記電波の（４ｍ＋１）／４波長（ｍは０以上の整数）の厚みを有する
請求項１に記載のアンテナ装置。
【請求項３】
前記カバーは、
前記第１方向側に配置され、前記第１方向に略直交する平面部と、
前記第１方向側から見たときに、前記アンテナ基板および前記反射基板の側方を覆い、かつ、前記第１方向側の端部に前記平面部が配置されている側面部と、を有する
請求項１または２に記載のアンテナ装置。
【請求項４】
前記カバーの前記平面部は、前記電波のｎ／２波長（ｎは自然数）の厚みを有する
請求項３に記載のアンテナ装置。
【請求項５】
前記平面部の外周部の少なくとも一部は、前記側面部の外方に突出している
請求項３または４に記載のアンテナ装置。
【請求項６】
前記カバーは、前記側面部に設けられた貫通孔を塞ぐフィルタであって、気体を通過させ、かつ、液体を通過させないフィルタを有する
請求項５に記載のアンテナ装置。
【請求項７】
さらに、
前記アンテナ基板を一方の面で支持する支持基板と、
前記支持基板の他方の面に配置され、前記アンテナ基板において発生する熱を放出する放熱部材と、を備える
請求項１から６のいずれか１項に記載のアンテナ装置。
【発明の詳細な説明】
【技術分野】
【０００１】
本開示は、ミリ波帯の電波を発信するアンテナ装置に関する。
【背景技術】
【０００２】
特許文献１は、水滴防止用カバーにより、ミリ波電波を送受信するミリ波レーダ装置が覆われている構成を開示する。
【先行技術文献】
【特許文献】
【０００３】
【特許文献１】特開２００９−３００３９０号公報
【発明の概要】
【発明が解決しようとする課題】
【０００４】
しかしながら、特許文献１のように、カバーによりミリ波レーダ装置が覆われていると、カバーの外方に放出されたミリ波帯の電波は、所望の角度範囲内において電波強度の落ち込みが生じやすいと言う課題があった。
【０００５】
本開示は、カバーを有するアンテナ装置において、所望の角度範囲内における電波強度の落ち込みを低減できるアンテナ装置を提供する。
【課題を解決するための手段】
【０００６】
本開示におけるアンテナ装置は、第１方向側に向けて、前記第１方向に略直交する第２方向における幅が所定の角度範囲で広がるミリ波帯の電波を発信する送信アンテナを有するアンテナ基板と、前記アンテナ基板の、前記第１方向側とは反対方向側に配置される反射基板であって、前記第２方向において前記アンテナ基板から離れるほど前記反対方向側に向かう向きに、前記第１方向に対して傾斜して配置される反射基板と、前記アンテナ基板および前記反射基板を覆うカバーと、を備え、前記反射基板は、前記反射基板の一方側の第１面で反射される前記電波と、前記反射基板の他方側の第２面で反射される前記電波とが、互いに相殺する厚みを有する。
【０００７】
本開示におけるアンテナ装置は、カバーを有するアンテナ装置において、所望の角度範囲内における電波強度の落ち込みを低減できる。
【図面の簡単な説明】
【０００８】
【図１】実施の形態に係るアンテナ装置の外観斜視図である。
【図２】実施の形態に係るアンテナ装置のカバーを外した分解斜視図である。
【図３】実施の形態に係るアンテナ装置のうち、アンテナ装置が取り付けられる側の一部の分解斜視図である。
【図４】実施の形態に係るアンテナ装置において、カバーを除いた構成をＺ軸方向から見たときの平面図である。
【図５】実施の形態に係るアンテナ装置において、カバーを除いた構成のうちアンテナ基板が配置される側の一部の分解斜視図である。
【図６】図１のＶＩ−ＶＩ断面図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって特許請求の範囲に記載の主題を限定することを意図するものではない。
【００１１】
（実施の形態）
以下、図１〜図６を用いて、実施の形態を説明する。
【００１２】
［１．構成］
図１は、実施の形態に係るアンテナ装置の外観斜視図である。図２は、実施の形態に係るアンテナ装置のカバーを外した分解斜視図である。図３は、実施の形態に係るアンテナ装置のうち、アンテナ装置が取り付けられる側の一部の分解斜視図である。図４は、実施の形態に係るアンテナ装置において、カバーを除いた構成をＺ軸方向から見たときの平面図である。図５は、実施の形態に係るアンテナ装置において、カバーを除いた構成のうちアンテナ基板が配置される側の一部の分解斜視図である。図６は、図１のＶＩ−ＶＩ断面図である。
【００１３】
アンテナ装置１００は、ミリ波帯の電波を送信し、また、ミリ波帯の電波を受信する無線通信を行うことのできる装置である。アンテナ装置１００が行う無線通信は、具体的には、ＩＥＥＥ８０２．１１ａｄ規格により定義される無線通信（ＷｉＧｉｇ（登録商標））である。アンテナ装置１００は、図１に示すように、第１方向Ｄ１（Ｘ軸方向）に向けて、第１方向Ｄ１に直交する第２方向Ｄ２の両側に、第１方向Ｄ１を基準とした所定の角度θ１ずつの所定の角度範囲α１で幅が広がるミリ波帯の電波を送受信する。つまり、所定の角度範囲α１は、所定の角度θ１の２倍の大きさの角度範囲であり、Ｘ−Ｚ平面に沿った向きにおける角度範囲である。
【００１４】
アンテナ装置１００は、例えば、複数の車両が互いに連結されている車両間の通信に用いられ、対向する車両の連結面に配置される。アンテナ装置１００は、連結面に配置された状態で、図１のＸ軸方向が車両の左右方向に対応し、Ｙ軸方向が車両の上下方向に対応し、Ｚ軸方向が車両の前後方向に対応する。つまり、アンテナ装置１００は、車両の前後方向（Ｚ軸方向）を基準として水平方向の左右（Ｘ軸方向の両側）のそれぞれに所定の角度θ１（例えば５０度）で広がる電波を送受信する。
【００１５】
以下、図１〜図６では、アンテナ装置１００が電波を送受信する基準（中心）となる所定方向がＺ軸方向として規定され、送受信する電波が広がっている水平方向がＸ軸方向で規定され、Ｚ軸方向およびＸ軸方向に垂直な方向がＹ軸方向で規定されている。
【００１６】
図１および図２に示すように、アンテナ装置１００は、カバー１１０と、支持部材１３０と、反射基板１４１、１４２と、支持基板１５０と、アンテナ基板１５１と、放熱部材１６０とを備える。また、アンテナ装置１００は、図３に示すように、さらに、ケーブル１７０と、裏蓋２００と、保持部材２１０とを備えていてもよい。
【００１７】
カバー１１０は、支持部材１３０と共に内部空間Ｓ１（図６参照）を形成する、有底角筒型の部材である。カバー１１０は、内部空間Ｓ１に、反射基板１４１、１４２、支持基板１５０、アンテナ基板１５１および放熱部材１６０を収めた状態で、反射基板１４１、１４２、支持基板１５０、アンテナ基板１５１および放熱部材１６０を覆う部材である。これにより、カバー１１０は、水滴や空気中の粒子などの異物が外方から内部空間Ｓ１に浸入することを抑制する。カバー１１０は、例えば、樹脂（ポリカーボネート）などにより構成される。
【００１８】
支持部材１３０は、ボルトなどの締結部材１３１によって、Ｚ軸方向マイナス側の底面１３２が例えば車両などの構造物の面に取り付けられる部材である。支持部材１３０は、例えば、クッション材１９０を挟んで構造物の面に取り付けられる。また、支持部材１３０は、反射基板１４１、１４２、支持基板１５０、アンテナ基板１５１および放熱部材１６０を支持する部材である。支持部材１３０は、例えば、金属（アルミニウム）などにより構成される。
【００１９】
カバー１１０と支持部材１３０との間には、樹脂（シリコン樹脂）製のパッキン１２３が配置され、カバー１１０と支持部材１３０との間を封止する。また、カバー１１０は、Ｚ軸方向プラス側から金属（ステンレス）製の押さえ部材１２１によって押さえられた状態で支持部材１３０に対して複数の締結部材１２２によって固定される。
【００２０】
反射基板１４１、１４２は、内部空間Ｓ１において反射された電波を所定の角度範囲α１外の方向に反射するための板状部材である。反射基板１４１、１４２は、支持部材１３０によって支持される。反射基板１４１、１４２は、例えば、ガラス基板により構成される。
【００２１】
支持基板１５０は、一部が支持部材１３０からＺ軸方向プラス側に突出して配置され、Ｙ−Ｚ平面に略平行に配置される板状部材である。支持基板１５０は、アンテナ基板１５１をＸ軸方向プラス側の面で支持する。支持基板１５０は、例えば、ガラス基板により構成される。
【００２２】
アンテナ基板１５１は、ミリ波帯の電波を発信する送信アンテナ１５１ａと、ミリ波帯の電波を受信する受信アンテナ１５１ｂと、電波の発信の制御および受信した電波の処理を行う、例えば、ＬＳＩ（Ｌａｒｇｅ−Ｓｃａｌｅ  Ｉｎｔｅｇｒａｔｉｏｎ）により構成される制御回路１５１ｃとを有する。アンテナ基板１５１は、支持基板１５０と平行に重ねられた状態で支持基板１５０によって支持され、一部（送信アンテナおよび受信アンテナ）がＺ軸方向プラス側に突出している。アンテナ基板１５１は、Ｙ−Ｚ平面に略平行に配置された状態で、上述したように、送信アンテナおよび受信アンテナにおいてミリ波帯の電波を第１方向Ｄ１（Ｘ軸方向）に向けて、第１方向Ｄ１に直交する第２方向Ｄ２に所定の角度範囲α１で広がるミリ波帯の電波を送受信する。
【００２３】
放熱部材１６０は、支持基板１５０のアンテナ基板１５１が設けられる側の面とは反対側の面に接して配置され、アンテナ基板１５１において発生した熱を外部に放出する部材である。放熱部材１６０は、支持部材１３０に対しても接しているため、アンテナ基板１５１において発生した熱を、支持部材１３０にも放出する。このため、アンテナ基板１５１において発生した熱を効果的に放出することができる。放熱部材１６０は、例えば、アルミニウムなどの金属により構成される。
【００２４】
ケーブル１７０は、電力をアンテナ基板１５１に供給することが可能な、アンテナ基板１５１と外部機器との間で有線通信を行うための通信ケーブルである。ケーブル１７０は、例えば、ＵＳＢ（Ｕｎｉｖｅｒｓａｌ  Ｓｅｒｉａｌ  Ｂｕｓ）規格に対応する通信ケーブルである。ケーブル１７０は、図６に示すように、先端に設けられたコネクタ１７１が、支持基板１５０に設けられたコネクタ１７２に接続されることにより、アンテナ基板１５１と電気的に接続されている。
【００２５】
裏蓋２００は、支持部材１３０のＺ軸方向マイナス側に配置され、ケーブル１７０を保持するための板状部材である。裏蓋２００は、中心に開口部２０１を有する。ケーブル１７０は、裏蓋２００の開口部２０１を貫通する。裏蓋２００は、支持部材１３０のＺ軸方向マイナス側の面に、樹脂製のパッキン１８０を間に挟んだ状態で、ボルトなどの複数の締結部材２０２により固定される。つまり、裏蓋２００、パッキン１８０および支持部材１３０は、この順にＺ軸方向に重ねられ、かつ、複数の締結部材２０２が、裏蓋２００に設けられた複数の貫通孔２００ａと、パッキン１８０に設けられた複数の貫通孔１８０ａとを貫通した状態で、支持部材１３０に形成されている複数の孔１３０ａに固定されることで、互いに固定されている。複数の孔１３０ａは、複数の締結部材２０２の雄ねじと螺合される雌ねじを有する。
【００２６】
保持部材２１０は、裏蓋２００の開口部２０１に設けられ、ケーブル１７０と開口部２０１との間の隙間を封止するブッシュ材である。保持部材２１０は、Ｚ軸方向に貫通し、ケーブル１７０の外径と同程度の内径の貫通孔２１０ａを有し、ケーブル１７０を保持する。保持部材２１０は、例えば、樹脂等により構成される。
【００２７】
[２．詳細構成]
次に、アンテナ装置１００の各構成について、詳細に説明する。
【００２８】
カバー１１０は、図２に示すように、平面部１１１と、側面部１１２と、フランジ部１１３とを有する。
【００２９】
平面部１１１は、カバー１１０の第１方向Ｄ１（Ｚ軸方向プラス）側に配置され、第１方向Ｄ１に略直交する板状の部位である。また、平面部１１１は、例えば、図６に示すように、アンテナ基板１５１が発信する電波のｎ／２波長（ｎは自然数）の厚みｔ２を有する。また、平面部１１１の外周部１１１ａは、側面部１１２の外方に突出している。つまり、平面部１１１は、側面部１１２よりも全ての方向において外側にはみ出している外周部１１１ａを有する。
【００３０】
側面部１１２は、第１方向Ｄ１側から見たときに、アンテナ基板１５１および反射基板１４１、１４２の側方を覆い、かつ、第１方向Ｄ１（Ｘ軸方向プラス）側の端部に平面部１１１が配置されている、角筒状の部位である。なお、側面部１１２は、角筒状に限らずに円筒状であってもよい。
【００３１】
フランジ部１１３は、側面部１１２の第１方向Ｄ１とは反対方向側（Ｘ軸方向マイナス）側の端部に配置され、第１方向Ｄ１側から見たときに当該端部から外側に向かって拡がるフランジ状の部位である。フランジ部１１３には、ボルトなどの締結部材１２２によって貫通される複数（本実施の形態では８つ）の貫通孔１１３ａが形成されている。
【００３２】
また、カバー１１０の側面部１１２には、側面部１１２に形成された図示しない貫通孔を塞ぐフィルタを有するフィルタ部２２０が配置されていてもよい。フィルタ部２２０が有するフィルタは、気体を通過させ、かつ、液体を通過させない防水透湿性素材により構成される。このため、カバー１１０の内部空間Ｓ１に水滴が浸入することを抑制しつつ、内部空間Ｓ１の湿度を外部空間の湿度に近づけることができる。これにより、内部空間Ｓ１に配置されている、アンテナ基板１５１を湿気から効果的に保護することができる。
【００３３】
支持部材１３０は、具体的には、カバー１１０のフランジ部１１３を収めるための凹部１３３と、反射基板１４１、１４２、支持基板１５０および放熱部材１６０を支持する台座部１３４とを有する。
【００３４】
ここで、図２に示すように、カバー１１０と支持部材１３０との間には、パッキン１２３が配置され、カバー１１０のフランジ部１１３と支持部材１３０の凹部１３３との間を封止する。また、フランジ部１１３は、Ｚ軸方向プラス側から押さえ部材１２１によって押さえられた状態で支持部材１３０に対して複数の締結部材１２２によって固定される。
【００３５】
なお、パッキン１２３および押さえ部材１２１は、フランジ部１１３に対応した形状を有する。つまり、パッキン１２３および押さえ部材１２１は、Ｚ軸方向から見たときに、外形がフランジ部１１３と略同一の形状を有する板状部材である。また、パッキン１２３および押さえ部材１２１は、フランジ部１１３の複数の貫通孔１１３ａに対応する位置に、それぞれ、複数の貫通孔１２３ａおよび複数の貫通孔１２１ａが形成されている。つまり、パッキン１２３、フランジ部１１３および押さえ部材１２１は、それぞれ、複数の締結部材１２２によって貫通される複数の貫通孔１１３ａ、１２１ａ、１２３ａを有する。
【００３６】
支持部材１３０の凹部１３３は、パッキン１２３、フランジ部１１３および押さえ部材１２１を収納する部位であり、Ｚ軸方向マイナス側に凹んだ形状を有する。凹部１３３には、複数の貫通孔１１３ａ、１２１ａ、１２３ａに対応した位置に、締結部材１２２の雄ねじと螺合される雌ねじを有する複数の孔１３３ａが形成されている。つまり、支持部材１３０、パッキン１２３、フランジ部１１３および押さえ部材１２１は、この順にＺ軸方向に重ねられ、かつ、複数の締結部材１２２が各貫通孔１１３ａ、１２１ａ、１２３ａを貫通した状態で複数の孔１３３ａに固定されることで、互いに固定されている。
【００３７】
支持部材１３０の台座部１３４は、Ｚ軸方向に突出しており、Ｚ軸方向プラス側の面に２枚の反射基板１４１、１４２が固定される部位である。具体的には、図５および図６に示すように、台座部１３４のＺ軸方向プラス側の面は、当該面の中心からＸ軸方向外側に向かうほどＺ軸方向マイナス側に向かう向きに傾いている載置面１３５、１３６を有する。なお、載置面１３５、１３６は、アンテナ基板１５１がＺ軸方向プラス側に突出して配置されているため、アンテナ基板１５１よりもＺ軸方向マイナス側に配置されている。
【００３８】
載置面１３５は、台座部１３４のＺ軸方向プラス側の面のうちのＸ軸方向マイナス側に配置される平面であり、Ｘ軸方向マイナス側に向かうほどＺ軸方向マイナス側に向かう向きに傾いている。載置面１３６は、台座部１３４のＺ軸方向プラス側の面のうちのＸ軸方向プラス側に配置されている平面であり、Ｘ軸方向プラス側に向かうほどＺ軸方向マイナス側に向かう向きに傾いている。載置面１３５、１３６は、Ｚ軸方向に対して所定の角度θ２（例えば６０度）の角度で傾斜して配置されている。なお、所定の角度θ２は、３０度以上７０度以下の角度であればよく、６０度に限るものではない。
【００３９】
また、台座部１３４は、載置面１３５、１３６の間の位置に、放熱部材１６０の一部を収納する凹部１３７と、支持基板１５０およびケーブル１７０によって貫通される開口部１３８とを有する。
【００４０】
また、台座部１３４の載置面１３５および凹部１３７には、反射基板１４１および放熱部材１６０を、それぞれ、ボルトなどの複数の締結部材１４３によって固定するための複数の孔１３５ａ、１３７ａが形成されている。複数の孔１３５ａ、１３７ａは、複数の締結部材１４３の雄ねじと螺合される雌ねじを有する。
【００４１】
また、図示していないが、台座部１３４の載置面１３６には、上記と同様に、反射基板１４２を、ボルトなどの複数の締結部材１４４によって固定するための複数の孔が形成されている。複数の孔は、複数の締結部材１４４の雄ねじと螺合される雌ねじを有する。
【００４２】
反射基板１４１は、載置面１３５上に配置される矩形状の板状部材である。反射基板１４１は、載置面１３５上に配置されるため、載置面１３５と同様に、Ｘ軸方向マイナス側に向かうほどＺ軸方向マイナス側に向かう向きに傾いている。
【００４３】
反射基板１４２は、載置面１３６上に配置される矩形状の板状部材である。反射基板１４２は、載置面１３６上に配置されるため、載置面１３６と同様に、Ｘ軸方向プラス側に向かうほどＺ軸方向マイナス側に向かう向きに傾いている。
【００４４】
つまり、反射基板１４１、１４２は、アンテナ基板１５１の、第１方向Ｄ１側（Ｚ軸方向プラス側）とは反対方向側（Ｚ軸方向マイナス側）に配置され、かつ、第２方向Ｄ２（Ｘ軸方向）に置いてアンテナ基板１５１から離れるほど反対方向側（Ｚ軸方向マイナス側）に向かう向きに、アンテナ基板１５１に対して傾斜して配置される。具体的には、反射基板１４１、１４２は、アンテナ基板１５１に対して所定の角度θ２の角度で傾斜して配置されている。
【００４５】
また、反射基板１４１、１４２は、反射基板１４１、１４２のＺ軸方向プラス側の第１面で反射される電波と、反射基板１４１、１４２のＺ軸方向マイナス側の第２面で反射される電波とが、互いに相殺する厚みｔ１を有する。具体的には、反射基板１４１、１４２の厚みｔ１は、アンテナ基板１５１が発信する電波の（４ｍ＋１）／４波長（ｍは０以上の整数）の厚みである。つまり、厚みｔ１は、第１面で反射される電波と、第２面で反射される電波との位相が半波長分だけずれる厚みである。なお、厚みｔ１は、反射基板１４１、１４２の比誘電率εｒを考慮して決定してもよい。
【００４６】
また、反射基板１４１は、締結部材１４３によって貫通される複数の貫通孔１４１ａを有する。図示していないが、同様に、反射基板１４２は、締結部材１４４によって貫通される複数の貫通孔を有する。
【００４７】
放熱部材１６０は、図５に示すように、Ｙ−Ｚ平面に略平行な板状の部位である第１部分１６１と、載置面１３５に略平行な板状の部位である第２部分１６２とを有する。
【００４８】
第１部分１６１には、Ｙ軸方向の両端からＸ軸方向に突出し、支持基板１５０のＹ軸方向の両端と接続される一対の突出部１６３が形成されている。一対の突出部１６３には、支持基板１５０を、ボルトなどの複数の締結部材１５３によって固定するための複数の孔１６３ａが形成されている。複数の孔１６３ａは、複数の締結部材１５３の雄ねじと螺合される雌ねじを有する。
【００４９】
ここで、支持基板１５０は、一対の突出部１６３に形成された複数の孔１６３ａと対向する位置に、複数の締結部材１５３によって貫通される複数の貫通孔１５０ａを有する。つまり、支持基板１５０および放熱部材１６０は、複数の締結部材１５３が複数の貫通孔１５０ａを貫通した状態で複数の孔１６３ａに固定されることで、互いに固定されている。
【００５０】
また、第１部分１６１には、図４および図５に示すように、アンテナ基板１５１と対向する位置に支持基板１５０側に突出している凸部１６１ａが形成されている。凸部１６１ａは、放熱用シリコーン１５２を介して、支持基板１５０と熱的に接続されている。これにより、アンテナ基板１５１が発した熱を効果的に放熱部材１６０に伝えることができる。
【００５１】
第２部分１６２は、凹部１３７に嵌合した状態で収納される。また、第２部分１６２は、凹部１３７に収納された状態で、第２部分１６２のＺ軸方向プラス側の面が、載置面１３５と同一平面上に配置される。反射基板１４１は、第２部分１６２のＺ軸方向プラス側の面と載置面１３５とに跨がって配置される。また、第２部分１６２は、複数の締結部材１４３の一部により貫通される複数の貫通孔１６２ａを有する。
【００５２】
よって、反射基板１４１と、放熱部材１６０の第２部分１６２と、支持部材１３０とは、複数の締結部材１４３が各貫通孔１４１ａ、１６２ａを貫通した状態で複数の孔１３５ａ、１３７ａに固定されることで、互いに固定されている。また、反射基板１４２と、支持部材１３０とは、上記と同様に、複数の締結部材１４４が反射基板１４２の貫通孔を貫通した状態で載置面１３６の複数の孔に固定されることで、互いに固定されている。
【００５３】
［３．効果等］
以上のように、本実施の形態において、アンテナ装置１００は、アンテナ基板１５１と、反射基板１４１、１４２と、カバー１１０とを備える。アンテナ基板１５１は、第１方向Ｄ１（Ｚ軸方向プラス側）に向けて、第１方向Ｄ１（Ｚ軸方向）に略直交する第２方向Ｄ２（Ｘ軸方向の両側）に所定の角度範囲α１で広がるミリ波帯の電波を発信する送信アンテナ１５１ａを有する。反射基板１４１、１４２は、アンテナ基板１５１の、第１方向Ｄ１側（Ｚ軸方向プラス側）とは反対方向側（Ｚ軸方向マイナス側）に配置され、第２方向Ｄ２（Ｘ軸方向の両側）においてアンテナ基板１５１から離れるほど反対方向側（Ｚ軸方向マイナス側）に向かう向きに、アンテナ基板１５１に対して傾斜して配置される。カバー１１０は、アンテナ基板１５１および反射基板１４１、１４２を覆う。反射基板１４１、１４２は、反射基板１４１、１４２の一方側の第１面で反射される電波と、反射基板１４１、１４２の他方側の第２面で反射される電波とが、互いに相殺する厚みｔ１を有する。
【００５４】
つまり、反射基板１４１、１４２が、アンテナ基板１５１の、アンテナ基板１５１が電波を発信する第１方向Ｄ１側とは反対方向側（Ｚ軸方向マイナス側）に配置されており、第２方向Ｄ２においてアンテナ基板１５１から離れるほど反対方向側（Ｚ軸方向マイナス側）に向かう向きに、アンテナ基板１５１に対して傾斜して配置されている。このため、反射基板１４１、１４２は、カバー１１０においてカバー１１０の内部空間Ｓ１側に反射された電波を、所定の角度範囲α１外の方向に向けて反射することができる。
【００５５】
また、反射基板１４１、１４２は、反射基板１４１、１４２の一方側の第１面で反射される電波と、反射基板１４１、１４２の他方側の第２面で反射される電波とが、互いに相殺する厚みｔ１を有するため、反射基板１４１、１４２において反射された電波による影響を極力低減した電波を所定の角度範囲α１に放出することができる。
【００５６】
これにより、カバー１１０を有するアンテナ装置１００であっても、所望の角度範囲内における電波強度の落ち込みを低減できる。
【００５７】
また、本実施の形態において、反射基板１４１、１４２は、電波の（４ｍ＋１）／４波長（ｍは０以上の整数）の厚みｔ１を有する。このため、反射基板１４１、１４２の第１面で反射される電波と、第２面で反射される電波とを効果的に相殺することができる。
【００５８】
また、本実施の形態において、カバー１１０は、平面部１１１と、側面部１１２とを有する。平面部１１１は、第１方向Ｄ１側（Ｚ軸方向プラス側）に配置され、第１方向Ｄ１（Ｚ軸方向）に略直交する部位である。側面部１１２は、第１方向Ｄ１側（Ｚ軸方向プラス側）から見たときに、アンテナ基板１５１および反射基板１４１、１４２の側方を覆い、かつ、第１方向Ｄ１側（Ｚ軸方向プラス側）の端部に平面部１１１が配置されている部位である。
【００５９】
このため、平面部１１１は、アンテナ基板１５１から発信された第２方向Ｄ２側（Ｘ軸方向の両側）に広がる電波を、反対方向（Ｚ軸方向マイナス）側に向けて、第２方向Ｄ２側（Ｘ軸方向の両側）に広がるように反射することができる。これにより、図６の「反射した電波」で示すように、反射基板１４１、１４２は、さらに、第１方向よりも第２方向Ｄ２（Ｘ軸方向）に近づけた方向に向けて電波を反射でき、カバー１１０の内部空間Ｓ１で反射された電波を効果的に所定の角度範囲α１外の方向に向けて反射することができる。
【００６０】
また、本実施の形態において、カバー１１０の平面部１１１は、電波のｎ／２波長（ｎは自然数）の厚みｔ２を有する。このため、アンテナ基板１５１により発信された電波がカバー１１０の平面部１１１を透過させやすくすることができる。
【００６１】
また、本実施の形態において、平面部１１１の外周部１１１ａは、側面部１１２の外方に突出している。このため、第１方向（Ｚ軸方向）側から見たときに、側面部１１２の側方から雨水などの水滴が当たったとしても、側面部１１２に当たった水滴が平面部１１１に回り込むことを抑制することができる。これにより、アンテナ基板１５１により発信された電波であって、平面部１１１を透過した電波が水滴によって減衰することを低減することができる。
【００６２】
[４．変形例]
上記実施の形態では、外周部１１１ａは、側面部１１２よりも全ての方向において外側に突出しているとしたが、全ての方向に限らずに、一部の方向だけで突出していてもよい。例えば、外周部は、Ｙ軸方向が上下方向となるように、車両に設置された状態で、上下方向（Ｙ軸方向）のみに側面部から突出していてもよい。また、左方向側（Ｘ軸方向マイナス側）を除く方向で側面部から突出していてもよいし、右方向側（Ｘ軸方向プラス側）を除く方向で側面部から突出していてもよい。
【００６３】
また、上記実施の形態では、反射基板１４１、１４２は、平板であるとしたが、曲面を有する曲板であってもよい。
【００６４】
以上のように、本開示における技術の例示として、実施の形態を説明した。そのために、添付図面および詳細な説明を提供した。
【００６５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６６】
また、上述の実施の形態は、本開示における技術を例示するためのものであるから、特許請求の範囲またはその均等の範囲において種々の変更、置き換え、付加、省略などを行うことができる。
【産業上の利用可能性】
【００６７】
本開示は、カバーを有するアンテナ装置において、所望の角度範囲内における電波強度の落ち込みを低減できる。アンテナ装置等に適用可能である。
【符号の説明】
【００６８】
１００    アンテナ装置
１１０    カバー
１１１    平面部
１１１ａ    外周部
１１２    側面部
１１３    フランジ部
１１３ａ、１２１ａ、１２３ａ、１４１ａ、１５０ａ、１６２ａ、１８０ａ、２００ａ、２１０ａ    貫通孔
１２１    押さえ部材
１２２、１３１、１４３、１４４、１５３、２０２    締結部材
１２３    パッキン
１３０    支持部材
１３０ａ、１３３ａ、１３５ａ、１６３ａ    孔
１３２    底面
１３３    凹部
１３４    台座部
１３５、１３６    載置面
１３７    凹部
１３８    開口部
１４１、１４２    反射基板
１５０    支持基板
１５１    アンテナ基板
１５１ａ    送信アンテナ
１５１ｂ    受信アンテナ
１５１ｃ    制御回路
１５２    放熱用シリコーン
１６０    放熱部材
１６１    第１部分
１６１ａ    凸部
１６２    第２部分
１６３    突出部
１７０    ケーブル
１７１、１７２    コネクタ
１８０    パッキン
１９０    クッション材
２００    裏蓋
２０１    開口部
２１０    保持部材
２２０    フィルタ部
Ｄ１    第１方向
Ｄ２    第２方向
θ１    所定の角度範囲
θ２    所定の角度
Ｓ１    内部空間
【図１】
2018125668.tif 000003
【図２】
2018125668.tif 000004
【図３】
2018125668.tif 000005
【図４】
2018125668.tif 000006
【図５】
2018125668.tif 000007
【図６】
2018125668.tif 000008